(57)【要約】【課題】本発明は、無人もしくは電源入り切りのみを行う操作オペレータが存在する機械に取り付けた、データロギング機能を持つ移動体端末装置が、無線送信不可能地域（Ｄｏｐａ圏外）でロギングしたデータを早く確実に送信し、尚且つ移動体端末装置が人為的に停止された事が認識できる機能を備えた移動体端末データロギング装置に関する。【解決手段】移動体端末装置は、移動体端末装置の運転スイッチがオンの後、人為的に移動体端末装置の運転スイッチがオフされた事を認識する手段と、移動体端末装置の運転スイッチがオフの後、自分自身にて移動体端末装置の電源をオフできる手段を持つことを特徴とする。【選択図】図１
2007311946.tif 000002
【特許請求の範囲】
【請求項１】
無人もしくは電源入り切りのみを行う操作オペレータが存在する機械に取り付けた移動体端末装置（７）であって、ロギングデータはセンターコンピュータに無線（Ｄｏｐａ）にて送信され、該センターコンピュータにて該ロギングデータを蓄積する構成のデータロギング装置において、無線送信不可能地域（Ｄｏｐａ圏外）で操作オペレータが移動体端末装置（７）の運転スイッチ（６）をオフした場合、該移動体端末装置（７）は蓄積したデータを保持し続け、無線送信可能地域（Ｄｏｐａ圏内）に移動された時、蓄積したロギングデータを無線（Ｄｏｐａ）でセンターコンピュータに送信した後、前記移動体端末装置（７）自体の電源を切断する機能を持つことを特徴とした移動体端末データロギング装置。
【請求項２】
上記機能を設けた事により、操作オペレータが前記移動体端末装置（７）の運転スイッチ（６）がオフした時のイベントを認識できることにより、前記移動体端末装置（７）が人為的に停止されたのか、不正に停止したのかを判別できる機能を持つことを特徴とする移動体端末データロギング装置。
【発明の詳細な説明】
【技術分野】
【０００１】
本発明は、無人もしくは主電源入り切りのみを行う操作オペレータが存在する機械に取り付けた、データロギング機能を持つ移動体端末装置が、無線送信不可能地域（Ｄｏｐａ圏外）でロギングしたデータを早く確実に送信し、尚且つ移動体端末装置が人為的に停止された事が認識できる機能を備えた移動体端末データロギング装置に関するものである。
【背景技術】
【０００２】
一般に、移動体端末を用いたデータロギング装置に於いて、全国規模に拠点を持つ無線通信システム（Ｄｏｐａ網）でも無線通信可能地域（Ｄｏｐａ圏内）と無線通信不可能地域（Ｄｏｐａ圏外）が必ず存在する。センターコンピュータにてロギングデータを蓄積する構成のデータロギング装置に於いては、移動体端末が無線通信不可能地域（Ｄｏｐａ圏外）に存在する間は、ロギングデータは移動体端末内にのみ存在し、ロギングデータがセンターコンピュータにロギングされた事にならない。センターコンピュータにロギングデータが送信された時点で、移動体端末内にのみ存在するロギングデータがセンターコンピュータに蓄積され、移動体端末を用いたデータロギングが完結する。
【０００３】
移動体端末装置が無線通信不可能地域（Ｄｏｐａ圏外）に移動される可能性がある場合、しかも、そのような地域で操作オペレータが移動体端末の運転スイッチをオフするケースが想定される場合、移動体端末のロギングデータが保存される様に移動体端末装置を構成する必要がある。図３に示した従来のバックアップ機能付き移動体端末装置のブロック図によれば、従来の方法では、移動体端末のロギングデータ蓄積用メモリにバックアップ機能を設け、移動体端末の電源が切断され、再度移動体端末の電源が投入された時に、過去のロギングデータを送信する機能を有する構成となる。（たとえば、特許文献１参照）
【０００４】
移動体端末装置のロギングデータ蓄積用メモリにバックアップ機能を実装する場合、移動体端末装置のマイクロプロセッサが使用する演算ワーク用メモリとは別に、バックアップ用メモリを実装する必要が出てくる。バックアップ用メモリを確実に保存しようとした場合、バックアップ用メモリを電池でバックアップする構成となるバックアップ回路が必要になる。通常電池は使用温度範囲が狭く、メンテナンスのことも考慮しなくてはならなくなる。
【０００５】
また、通常マイクロプロセッサを搭載した装置が停止する場合、人為的に停止されたのか、マイクロプロセッサが不正な処理を行った為に機能を停止したのかの判別は非常に困難である。
【特許文献１】特開平１０−２０９９５４号公報
【発明の開示】
【発明が解決しようとする課題】
【０００６】
上記従来技術の場合下記問題がある。
バックアップ用メモリと電池を搭載した移動体端末装置に於いて、無線送信不可能地域（Ｄｏｐａ圏外）でロギングしたデータをバックアップ用メモリに保存したのち、移動体端末装置の電源がオフされ、その時ロギングしたデータを送信する時期は、再度移動体端末装置の電源が再投入された時となる。その移動体端末装置が無線送信不可能地域（Ｄｏｐａ圏外）でロギングしたデータを保存しているか否かは通常は判らなく、尚且つ、いつ移動体端末装置の電源が投入されるのかは判らないので、ロギングしたデータのリアルタイム性は損なわれる。
【０００７】
ロギングデータ蓄積用メモリにバックアップ機能を実装する場合、移動体端末装置のマイクロプロセッサの演算ワーク用メモリとは別に、バックアップ用メモリとバックアップ用の電源（電池）実装する必要がある。移動体端末装置は低コストである必要があり、バックアップ用メモリとバックアップ用の電源（電池）を装備すると、移動体端末装置の回路構成が複雑になり、移動体端末装置自体のコストも上がる。
【０００８】
移動体端末装置が人為的に停止されたのか、移動体端末装置のマイクロプロセッサが不正な処理を行った為に機能を停止したのかを判別する為には、人為的に停止されたというイベントを認識し、そのイベントもロギングしたデータの中に含める必要がある。その為には移動体端末装置が人為的に停止された時、移動体端末装置の電源が切断される事無く、ロギングしたデータを送信し終わると移動体端末装置が電源を切断できる様な構成にする必要がある。
【課題を解決するための手段】
【０００９】
移動体端末装置は、移動体端末装置の運転スイッチがオンの後、人為的に移動体端末装置の運転スイッチがオフされた事を認識する手段と、移動体端末装置の運転スイッチがオフの後、自分自身にて移動体端末装置の電源をオフできる手段を持つことを特徴とする。
【発明の効果】
【００１０】
本発明により、移動体端末装置にバックアップ用メモリやバックアップ用電源を持たずして、従来の方法のようにバックアップ用メモリやバックアップ用電池を持ったときに果たせた前記機能を持った移動体端末装置以上の機能を持つ事を特徴とした移動体端末装置が提供可能となる。
【発明を実施するための最良の形態】
【００１１】
移動体端末装置７の電源は、移動体端末装置７の運転スイッチ６と移動体端末装置７から制御可能なリレー接点５から供給される。操作オペレータにより移動体端末装置７の運転スイッチ６がオンされ、データロギング機能が開始されると、移動体端末装置７は移動体端末装置７の電源に接続されたリレー接点５をオンさせ、移動体端末装置７の運転スイッチ６が操作オペレータによりオフされても、移動体端末装置７に電源が供給できる様にする。
【００１２】
移動体端末装置７はデータロギングの機会が来ると、ロギングデータを時刻付きで移動体端末装置７の内部メモリに格納し、その後図示はしていないセンターコンピュータに無線（Ｄｏｐａ）により送信する。このときの内部メモリは移動体端末装置７のマイクロプロセッサ３が演算ワークとして使用している演算ワーク用メモリ１であり、移動体端末装置７の電源が切断されたらデータは記憶されない揮発性メモリである。
【００１３】
移動体端末装置７が無線通信不可能地域（Ｄｏｐａ圏外）に移動されたら、センターコンピュータに無線（Ｄｏｐａ）により送信する事が不可能となる為、ロギングデータは内部メモリすなわち演算ワーク用メモリ１に格納されたままとなる。
【００１４】
移動体端末装置７が無線通信不可能地域（Ｄｏｐａ圏外）に移動され、ロギングデータをセンターコンピュータに無線（Ｄｏｐａ）により送信されないまま、移動体端末装置７の運転スイッチ６が操作オペレータによりオフされたら、運転スイッチオフというデータをロギングした後、無線送信可能地域（Ｄｏｐａ圏内）に移動されるまで、移動体端末装置７は移動体端末装置７の電源の供給を継続させる。
【００１５】
無線送信可能地域（Ｄｏｐａ圏内）に移動されたら、内部メモリすなわち演算ワーク用メモリ１に格納されたロギングデータをセンターコンピュータに無線（Ｄｏｐａ）により送信した後、移動体端末装置７は移動体端末装置７の電源に接続されたリレー接点５をオフさせ、移動体端末装置７の機能を停止させる。
【００１６】
このとき送信されたロギングデータは、センターコンピュータに無線（Ｄｏｐａ）により送信した時刻とは異なるデータロギング機会時点での時刻データが添付されているのでロギングデータのロギング時刻の正確性は保たれる。
【図面の簡単な説明】
【００１７】
【図１】本発明の実施例である移動体端末装置のブロック図である。
【図２】本発明の実施例である移動体端末装置の外部回路である。
【図３】従来のバックアップ機能付き移動体端末装置のブロック図である。
【符号の説明】
【００１８】
１  演算ワーク用メモリ    
２  プログラム格納用メモリ
３  マイクロプロセッサ    
４  バックアップ用メモリ  
５  リレー接点
６  運転スイッチ
７  移動体端末装置
８  バックアップ回路
【図１】
2007311946.tif 000003
【図２】
2007311946.tif 000004
【図３】
2007311946.tif 000005